(57)【特許請求の範囲】
【請求項１】
立体映像を表示する立体映像表示装置であって、
ユーザからの指示を取得する指示取得手段と、
外部装置と通信可能に接続し、該外部装置から映像を受信する通信部と、
該通信部を介して、前記外部装置に指示する外部指示手段と、
前記外部装置を操作するための操作パネルの画像を作成する画像作成手段と、
前記通信部からの映像と、前記画像作成手段が作成した操作パネルの画像との少なくとも一方を表示する表示部とを備えており、
前記画像作成手段が作成する操作パネルの画像には、立体映像を指示するための立体映像指示ボタンが追加されており、
前記指示取得手段が、前記立体映像指示ボタンを選択する指示を前記ユーザから取得すると、前記外部指示手段は、前記外部装置に立体映像を送信するように指示することを特徴とする立体映像表示装置。
【請求項２】
前記外部装置に関する装置情報を取得する装置情報取得手段をさらに備えており、
該装置情報取得手段が、前記外部装置による立体映像の送信が不能であるとの装置情報を取得すると、前記画像作成手段は、前記立体映像指示ボタンを除いた前記操作パネルの画像を作成することを特徴とする請求項１に記載の立体映像表示装置。
【請求項３】
前記指示取得手段が、前記立体映像指示ボタンの選択を解除する指示を前記ユーザから取得すると、前記外部指示手段が、前記外部装置に、通常の映像を送信するように指示することを特徴とする請求項１または２に記載の立体映像表示装置。
【請求項４】
請求項１から３までの何れか１項に記載の立体映像表示装置を動作させるための制御プログラムであって、コンピュータを上記の各手段として機能させるための制御プログラム。
【請求項５】
請求項４に記載の制御プログラムが記録されたコンピュータ読取り可能な記録媒体。
【請求項６】
立体映像を表示する立体映像表示装置の制御方法であって、
通信部を介して通信可能に接続され、映像を該通信部に送信する外部装置を操作するための操作パネルの画像に立体映像を指示するための立体映像指示ボタンを追加するステップと、
該立体映像指示ボタンが追加された前記操作パネルの画像を表示するステップと、
前記立体映像指示ボタンを選択する指示をユーザから取得すると、前記外部装置に立体映像を送信するように前記通信部を介して指示するステップとを含むことを特徴とする立体映像表示装置の制御方法。
【発明の詳細な説明】
【技術分野】
【０００１】
本発明は、立体映像を表示する立体映像表示装置およびその制御方法、制御プログラム、並びに記録媒体に関する。
【背景技術】
【０００２】
近年、現在広く普及している平面映像（以下、２Ｄ画像と称する）を表示するテレビジョン技術に対して、例えば特許文献１に示すように、立体映像（以下、３Ｄ画像と称する）を表示するテレビジョン技術が開発され、実現されている。この種の３Ｄ技術としては、フレームパッキング（Frame Packing）方式、サイドバイサイド（Side By Side）方式
、トップアンドボトム（Top And Bottom）方式および２Ｄ→３Ｄ変換方式が知られている。
【０００３】
フレームパッキング方式は、左目用の映像信号（Ｌ用映像信号）と右目用の映像信号（Ｒ用映像信号）とを交互に送信し、テレビジョン受信機（以下、単にＴＶ受信機と称する）において、それら両映像信号を交互に表示するものである。
【０００４】
サイドバイサイド方式は、ＴＶ受信機の画面を左右に２分割するＬ用映像信号とＲ用映像信号とを使用する。具体的には、ＴＶ受信機において画面を左右に２分割し、Ｌ用映像信号とＲ用映像信号とを引き伸ばして交互に表示する。
【０００５】
トップアンドボトム方式は、ＴＶ受信機の画面を上下に２分割するTop用映像信号とBottom用映像信号とを使用する。具体的には、ＴＶ受信機において画面を上下に２分割し、Top用映像信号とBottom用映像信号とを引き伸ばして交互に表示する。
【０００６】
２Ｄ→３Ｄ変換方式は、２Ｄ映像信号を３Ｄ映像信号に変換して表示する擬似的３Ｄ方式である。
【先行技術文献】
【特許文献】
【０００７】
【特許文献１】特開２０１０−７８９８５号公報（２０１０年０４月０８日公開）
【発明の概要】
【発明が解決しようとする課題】
【０００８】
上記特許文献１に記載の構成によれば、３Ｄ映像を表示可能となっている。しかしながら、３Ｄ映像を表示する上での細部の構成について十分検討されておらず、３Ｄ映像を表示する上での使い勝手の改善が不十分である。したがって、本発明は、使い勝手の良好な立体映像表示装置、立体映像表示方法、プログラムおよび記録媒体の提供を目的としている。
【課題を解決するための手段】
【０００９】
本発明に係る立体映像表示装置は、立体映像を表示する立体映像表示装置であって、上記課題を解決するために、ユーザからの指示を取得する指示取得手段と、外部装置と通信可能に接続し、該外部装置から映像を受信する通信部と、該通信部を介して、前記外部装置に指示する外部指示手段と、前記外部装置を操作するための操作パネルの画像を作成する画像作成手段と、前記通信部からの映像と、前記画像作成手段が作成した操作パネルの画像との少なくとも一方を表示する表示部とを備えており、前記画像作成手段が作成する操作パネルの画像には、立体映像を指示するための立体映像指示ボタンが追加されており
、前記指示取得手段が、前記立体映像指示ボタンを選択する指示を前記ユーザから取得すると、前記外部指示手段は、前記外部装置に立体映像を送信するように指示することを特徴としている。
【００１０】
また、本発明に係る立体映像表示装置の制御方法は、立体映像を表示する立体映像表示装置の制御方法であって、上記課題を解決するために、通信部を介して通信可能に接続され、映像を該通信部に送信する外部装置を操作するための操作パネルの画像に立体映像を指示するための立体映像指示ボタンを追加するステップと、該立体映像指示ボタンが追加された前記操作パネルの画像を表示するステップと、前記立体映像指示ボタンを選択する指示をユーザから取得すると、前記外部装置に立体映像を送信するように前記通信部を介して指示するステップとを含むことを特徴としている。
【００１１】
上記の構成および方法によると、外部装置を操作するための操作パネルに立体映像指示ボタンが追加されており、該立体映像指示ボタンをユーザが選択すると、前記外部装置に立体映像を送信するように通信部を介して指示する。これにより、前記外部装置から通信部を介して立体映像を受信し、受信した立体映像を表示することができる。従って、ユーザは操作パネルにおける所定のボタンを選択するだけで、外部装置に立体映像を送信させて、立体映像表示装置に表示させることができ、ユーザの使い勝手が良好となる。
【００１２】
本発明に係る立体映像表示装置では、前記外部装置に関する装置情報を取得する装置情報取得手段をさらに備えており、該装置情報取得手段が、前記外部装置による立体映像の送信が不能であるとの装置情報を取得すると、前記画像作成手段は、前記立体映像指示ボタンを除いた前記操作パネルの画像を作成することが好ましい。この場合、表示される操作パネルに立体映像指示ボタンが含まれないので、ユーザは、外部装置による立体映像の送信が不能であることが容易に認識でき、ユーザの使い勝手がさらに良好となる。
【００１３】
なお、外部装置による立体映像の送信が不能である場合には、前記外部装置が立体映像を送信する機能を有していない場合も含まれるし、前記外部装置が前記機能を有するが、送信すべき立体映像を有していない場合も含まれる。
【００１４】
本発明に係る立体映像表示装置では、前記指示取得手段が、前記立体映像指示ボタンの選択を解除する指示を前記ユーザから取得すると、前記外部指示手段が、前記外部装置に、通常の映像を送信するように指示することが好ましい。この場合、立体映像指示ボタンの選択および選択解除により、外部装置からの立体映像および通常の映像の表示を容易に切り替えることができ、ユーザの使い勝手がさらに良好となる。
【００１５】
なお、上記立体映像表示装置の各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【発明の効果】
【００１６】
以上のように、本発明に係る立体映像表示装置は、外部装置を操作するための操作パネルに立体映像指示ボタンが追加され、該立体映像指示ボタンをユーザが選択すると、前記外部装置に立体映像を送信するように通信部を介して指示することにより、前記外部装置から通信部を介して立体映像を受信し、受信した立体映像を表示できるので、ユーザは操作パネルにおける所定のボタンを選択するだけで、外部装置に立体映像を送信させて、立体映像表示装置に表示させることができ、ユーザの使い勝手が良好となるという効果を奏する。
【図面の簡単な説明】
【００１７】
【図１】本発明の一実施形態である３ＤＴＶを備えたシステムにおいて、３ＤＴＶと通信可能に接続した外部装置から送信される映像を、２Ｄ映像と３Ｄ映像との間で切り替える処理の流れを示すフローチャートである。
【図２】上記３ＤＴＶを備えたシステムの構成を示す斜視図である。
【図３】上記３ＤＴＶの構成を示すブロック図である。
【図４】上記３ＤＴＶにおける出力用映像信号生成部の構成を示すブロック図である。
【図５】上記外部装置を操作するための操作パネルの表示例を示す図である。
【図６】上記システムにおけるリモコンの操作面の一例を示す平面図である。
【図７】上記３ＤＴＶのＣＰＵが有する機能を表現した機能ブロック図である。
【図８】上記操作パネルを表示する処理の流れを示すフローチャートである。
【図９】上記リモコンにおける「明るさアップ」ボタンが押された場合に行われる処理の流れを示すフローチャートである。
【図１０】輝度の設定値に対応するメッセージの一例を示す図である。
【図１１】上記リモコンにおける「サラウンド」ボタンが押された場合に行われる処理の流れを示すフローチャートである。
【図１２】仮想サラウンドの設定値に対応するメッセージの一例を示す図である。
【図１３】上記３ＤＴＶに表示される音声調整の設定メニューの一例を示す図である。
【図１４】上記音声調整の処理の流れを示すフローチャートである。
【発明を実施するための形態】
【００１８】
本発明の実施の形態を図面に基づいて以下に説明する。図２は、本実施の形態の立体映像表示装置としての３Ｄ方式のテレビジョン受信機１（以下、単に３ＤＴＶと称する）を備えたシステムの構成を示す斜視図である。本実施の形態において、３ＤＴＶ１は、リモートコントロール（以下、単にリモコンと称する）２および３Ｄ用メガネ３とともに使用される。
【００１９】
３ＤＴＶ（立体映像表示装置）１は３Ｄ映像を表示するものである。この場合、３ＤＴＶ１は、３Ｄ表示用の映像信号を受信して、その映像信号に基づき３Ｄ映像を表示する。あるいは、２Ｄ表示用の映像信号を受信し、これを３Ｄ映像に変換して３Ｄ映像を表示する。
【００２０】
リモコン２は、３ＤＴＶ１と無線通信を行い、ユーザの操作に応じ３ＤＴＶ１に対して各種の指示入力を行う。３Ｄ用メガネ３は、３Ｄ映像を視聴する場合にユーザが使用するものであり、３ＤＴＶ１と無線通信を行う。３Ｄ用メガネ３は、左右のレンズがシャッター機能を有し、この左右のレンズのシャッター機能は、３ＤＴＶ１のＬ用映像信号およびＲ用映像信号の表示と同期するように、３ＤＴＶ１によって制御される。本実施の形態において、３ＤＴＶ１とリモコン２および３Ｄ用メガネ３との通信は赤外線通信である。
【００２１】
図３は３ＤＴＶ１の構成を示すブロック図である。３ＤＴＶ１は、図３に示すように、３つのＨＤＭＩ（High-Definition Multimedia Interface、登録商標、以下同様）入力端子１１ａ〜１１ｃ、ＨＤＭＩスイッチ１１ｄ、ＨＤＭＩレシーバ（通信部）１００、映像入力端子１０１ａ、音声入力端子１０１ｂ、ＢＤドライブ１０２、チューナ１０３、ＩＰ（Internet Protocol）放送チューナ１０４、衛星放送チューナ１０５、ＯＳＤ（On-Screen Display）生成部１０６、映像セレクタ１０７、映像処理回路１０８、ＬＣＤコントローラ１０９、ＬＣＤ（Liquid Crystal Display）１１０、音声セレクタ１１１、音声処理回路１１２、デジタルアンプ１１３、スピーカ１１４、イーサネット（登録商標）Ｉ／Ｆ１１５、ＲＯＭ１１６、ＲＡＭ１１７、ＣＰＵ１１８、赤外線受光部１１９、カメラ１２
０、人感センサ１２１、出力用映像信号生成部１２２、メガネ制御部１２３および赤外線発光部１２４を備えている。図３においては、映像信号の経路を実線で、音声信号の経路を１点鎖線で、データや制御信号の経路（バス）を太線で示している。
【００２２】
図４は図３に示した出力用映像信号生成部１２２の構成を示すブロック図である。図４に示すように、出力用映像信号生成部１２２は、処理判別部１３１、２Ｄ→３Ｄ変換部１３２および３Ｄ処理部１３３を備えている。
【００２３】
図３において、（１）ＨＤＭＩレシーバ１００が受信した映像、（２）映像入力端子１０１ａから入力された映像、（３）ＢＤドライブ１０２がＢＤ（Blu-ray Disc（登録商標））から読み出した映像、（４）（地上波デジタル放送用）チューナ１０３が受信した映像、（５）ＩＰ放送チューナ１０４が受信した映像、および（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、および（６）衛星放送チューナ１０５が受信した音声は、それぞれ、音声セレクタ１１１に供給される。
【００２４】
なお、（ａ）ＨＤＭＩレシーバ１００が何れのＨＤＭＩ入力端子から入力されるコンテンツを受信するか、すなわち、ＨＤＭＩスイッチ１１ｄが何れのＨＤＭＩ入力端子から入力されたコンテンツをＨＤＭＩレシーバに供給するか、（ｂ）チューナ１０３が何れのチャンネルを介して伝送されたコンテンツを受信するか、（ｃ）ＩＰ放送チューナ１０４が何れのサーバから配信されたコンテンツを受信するか、（ｄ）衛星放送チューナ１０５が何れのチャンネルを介して伝送されたコンテンツを受信するかを決める選択制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００２５】
映像セレクタ１０７は、上記（１）〜（６）の映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００２６】
映像処理回路１０８は、映像セレクタ１０７から供給された映像の画質を調整する。また、映像処理回路１０８は、映像セレクタ１０７から供給された映像をスケーリングする。ここで、画質の調整とは、例えば、輝度、シャープネス、およびコントラストの少なくとも何れかを変化させることを指す。また、スケーリングとは、表示すべき映像本来のアスペクト比を保ったままサイズを縮小することを指す。映像処理回路１０８によって画質調整とスケーリングとを施された映像は、出力用映像信号生成部１２２に供給される。なお、映像処理回路１０８が画質をどのように変化させるか、および映像をどの程度縮小するかは、ＣＰＵ１１８によって制御される。
【００２７】
ＯＳＤ生成部（画像作成手段）１０６は、ＯＳＤ画像を生成するものである。ＯＳＤ生成部１０６が生成したＯＳＤ画像は、映像処理回路１０８から供給された映像に重ねられて、出力用映像信号生成部１２２に供給される。なお、映像処理回路１０８から供給される映像がサイドバイサイド方式、トップアンドボトム方式などの３Ｄ映像である場合、ＯＳＤ生成部１０６は、当該方式に応じたＯＳＤ画像を生成する。また、どのようなＯＳＤ画像を生成するかは、ＣＰＵ１１８によって制御される。
【００２８】
出力用映像信号生成部１２２は、３Ｄ表示が選択されている場合において、映像処理回路１０８から供給された映像信号（入力映像信号）を判別し、その映像信号に応じた３Ｄ表示のための処理を行う。一方、３Ｄ表示が選択されていない場合において、入力映像信
号が３Ｄ映像信号である場合には、その入力映像信号に対して２Ｄ表示のための処理を行う。また、３Ｄ表示が選択されていない場合において、入力映像信号が２Ｄ映像信号である場合には、入力映像信号を処理することなく、ＬＣＤコントローラ（表示部）１０９に送る。
【００２９】
ＬＣＤコントローラ１０９は、出力用映像信号生成部１２２から供給された２Ｄ映像信号または３Ｄ映像信号に基づき、その映像信号が表示されるようにＬＣＤ（表示部）１１０を駆動する。また、ＬＣＤコントローラ１０９は、ＬＣＤ１１０のバックライトの点灯・消灯を制御する。なお、バックライトの点灯・消灯をどのように行うかは、ＣＰＵ１１８によって制御される。
【００３０】
メガネ制御部１２３は、ＬＣＤ１１０において３Ｄ映像信号を表示する場合に、ＬＣＤ１１０でのＬ用映像信号の表示とＲ用映像信号の表示との切り替えと、３Ｄ用メガネ３のＬ用レンズとＲ用レンズとのシャッター動作とが同期するように、３Ｄ用メガネ３の上記シャッター動作を制御する。このための制御信号は、赤外線発光部１２４によって赤外線の信号に変換され、３Ｄ用メガネ３に送信される。３Ｄ用メガネ３は、上記赤外線の信号を受信すると、その信号の指示にしたがってＬ用レンズとＲ用レンズとのシャッター動作を行う。
【００３１】
音声セレクタ１１１は、上記（１）〜（６）の音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択とは連動しており、例えば、映像セレクタ１０７がＨＤＭＩレシーバ１００から供給された映像を選択しているときには、音声セレクタ１１１もＨＤＭＩレシーバ１００から供給された音声を選択する。
【００３２】
音声処理回路１１２は、音声セレクタ１１１から供給された音声の音量及び音質を調整したり、該音声の仮想サラウンド処理を行ったりする。ここで、音質の調整とは、音声セレクタ１１１から供給された音声の周波数特性を変化させること（例えば、低域の強調や高域の強調など）を指す。また、仮想サラウンド処理とは、人間の聴覚の特性を利用して、ステレオの音声をあたかもサラウンドのような音声に変換する処理を指す。音声処理回路１１２によって処理された音声は、デジタルアンプ１１３に供給される。なお、音声処理回路１１２によって音量及び音質をどのように変化させ、仮想サラウンドの度合をどの程度とするかは、ＣＰＵ１１８によって制御される。
【００３３】
デジタルアンプ１１３は、音声処理回路１１２から供給された音声が出力されるようにスピーカ１１４を駆動する。これにより、音声セレクタ１１１により選択された音声がスピーカ１１４から出力される。
【００３４】
ＣＰＵ１１８は、赤外線受光部１１９が受信したリモコン信号、カメラ１２０が撮像した画像、および人感センサ１２１が出力する出力信号に応じて上記各部を制御する。人感センサ１２１の出力信号は、その感知範囲内に視聴者が存在するか否かを示す２値信号である。赤外線受光部１１９を用いた制御としては、例えば、チューナ１０３〜１０５にて選択するチャンネルをリモコン信号に応じて切り替える制御や、映像セレクタ１０７及び音声セレクタ１１１にて選択する映像及び音声をリモコン信号に応じて切り替える制御などが挙げられる。また、カメラ１２０を用いた制御としては、例えば、映像処理回路１０８において画質をどのように調整するかを、撮像した画像に基づいて特定した視聴者に応じて切り替える制御などが挙げられる。また、人感センサ１２１を用いた制御としては、例えば、ＬＣＤ１１０のバックライトを点灯するか消灯するかを、感知結果に応じて切り
替える制御などが挙げられる。
【００３５】
また、ＣＰＵ１１８は、ＨＤＭＩレシーバ１００が外部装置（例えば携帯電話端末）から受信したＣＥＣ（Consumer Electronics Control）コマンドを実行したり、ＨＤＭＩレシーバ１００が外部装置に送信するＣＥＣコマンドを生成したりすることによって、外部装置との連携動作を実現する。
【００３６】
ＲＯＭ１１６は、ＣＰＵ１１８によって実行されるプログラムなどの固定データが格納されるメモリである。ＯＳＤ画像を生成するためにＯＳＤ生成部１０６が参照するＪＰＥＧデータやＳＶＧ（Scalable Vector Graphics）データなども、このＲＯＭ１１６に格納される。一方、ＲＡＭ１１７は、ＣＰＵ１１８が演算のために参照するデータ、およびＣＰＵ１１８が演算によって生成したデータなどの可変データが格納される、読み出し可能かつ書き込み可能なメモリである。
【００３７】
イーサネットＩ／Ｆ１１５は、３ＤＴＶ１をネットワークに接続するためのインターフェースである。上述したＩＰ放送チューナ１０４は、このイーサネットＩ／Ｆ１１５を介してインターネット上のサーバにアクセスする。
【００３８】
次に、出力用映像信号生成部１２２の処理について具体的に説明する。
３ＤＴＶ１では、リモコン２からの操作により３Ｄ自動切換設定を行えるようになっている。この設定は、ＣＰＵ１１８により確認され、例えばＲＡＭ１１７に保持される。
【００３９】
図４に示す処理判別部１３１は、３Ｄ自動切換設定が行われているかどうかを判別し、３Ｄ自動切換設定が行われている場合には、入力された映像信号（入力映像信号）が３Ｄ映像信号と２Ｄ映像信号とのいずれであるかを判別する。さらに、入力映像信号が３Ｄ映像信号である場合に、フレームパッキング方式、サイドバイサイド方式あるいはトップアンドボトム方式のうちのいずれであるかを判別する。
【００４０】
また、処理判別部１３１は、３Ｄ自動切換設定が行われていない場合に、手動にて３Ｄ表示設定が行われているかどうかを判別し、手動にて３Ｄ表示設定が行われている場合には、入力映像信号が３Ｄ映像信号と２Ｄ映像信号とのいずれであるかを判別する。さらに、入力映像信号が３Ｄ映像信号である場合に、フレームパッキング方式、サイドバイサイド方式あるいはトップアンドボトム方式のうちのいずれであるかを判別する。
【００４１】
２Ｄ→３Ｄ変換部１３２は、手動にて３Ｄ表示設定が行われている場合において、入力映像信号が２Ｄ映像信号である場合に、２Ｄ映像から擬似的３Ｄ映像を生成するために、２Ｄ映像を３Ｄ映像に変換する。
【００４２】
３Ｄ処理部１３３は、入力映像信号の３Ｄ方式に応じて入力映像信号を処理し、３Ｄ映像信号を生成し、ＬＣＤコントローラ１０９へ出力する。また、３Ｄ自動切換設定も手動による３Ｄ表示設定も行われていない場合に、入力映像信号が３Ｄ映像信号である場合には、３Ｄ映像信号を２Ｄ表示するための処理を行う。なお、手動による３Ｄ表示設定が行われていない場合に、入力映像信号が２Ｄ映像信号である場合には、その入力映像信号に対して２Ｄ→３Ｄ変換部１３２および３Ｄ処理部１３３での処理は行われない。
【００４３】
次に、本実施形態における特有の機能の概要について説明する。
【００４４】
本実施形態のシステムでは、３Ｄ映像を送信可能な外部装置（図示せず）が、ＨＤＭＩレシーバ１００を介して接続されている。３ＤＴＶ１は、上記外部装置を操作するための操作パネルを画面に表示する。図５は、該操作パネルの一例を示している。図５の例では
、上記外部装置はディスクプレーヤである。
【００４５】
図５に示すように、操作パネル２００には「３Ｄ」ボタン（立体映像指示ボタン）２０１が設けられている。ユーザがリモコン２を用いて「３Ｄ」ボタン２０１を選択すると、３ＤＴＶ１は、ＣＥＣコマンドを利用して、上記外部装置に対し３Ｄ映像を送信するように指示する。これにより、上記外部装置からＨＤＭＩレシーバ１００を介して３Ｄ映像を受信し、受信した３Ｄ映像をＬＣＤ１１０に表示することができる。従って、ユーザは、操作パネル２００における所定のボタンを選択するだけで、上記外部装置に３Ｄ映像を送信させて、３ＤＴＶ１に表示させることができ、ユーザの使い勝手が良好となる。
【００４６】
図６は、本実施形態のリモコン２の操作面の一例を示す平面図である。図６に示すように、リモコン２の操作面には、３Ｄ映像用の「３Ｄ」ボタン２１０、「明るさアップ」ボタン２１１、および「サラウンド」ボタン２１２が設けられている。
【００４７】
ユーザが「３Ｄ」ボタン２１０を押すと、３ＤＴＶ１は３Ｄ表示を行う。これにより、ユーザは、リモコン２の所定のボタンを押すだけで、３ＤＴＶ１に３Ｄ映像を表示させることができ、ユーザの使い勝手が良好となる。
【００４８】
ところで、上述のように、ユーザは、３Ｄ映像を見るために３Ｄ用メガネ３を装着する必要があり、３Ｄ用メガネ３を装着しない場合に比べて、視認する映像が暗くなる。これに対し、本実施形態では、３Ｄ表示時にユーザが「明るさアップ」ボタン２１１を押すと、３ＤＴＶ１は、ＬＣＤ１１０のバックライトの輝度を上昇させる。これにより、ユーザは、リモコン２の所定のボタンを押すだけで、視認する映像が暗くなることを抑制できるので、ユーザの使い勝手が良好となる。
【００４９】
なお、ＬＣＤ１１０のバックライトがＬＥＤ（Light Emitting Diode）であれば、冷陰極管を用いたバックライトよりも、輝度を高くできるので望ましい。また、ＬＣＤ１１０が、赤（Ｒ）・緑（Ｇ）・青（Ｂ）の３原色に、黄（Ｙ）を追加した４原色表示であれば、３原色表示のＬＣＤに比べて明るく表示できるので望ましい。
【００５０】
ところで、３ＤＴＶ１が３Ｄ表示を行う場合、ユーザは、奥行きのある映像を見ることになる。従って、音声も、奥行きのある映像に対応するような、奥行きのある音声を出力することが望ましい。そこで、本実施形態では、３Ｄ表示時にユーザが「サラウンド」ボタン２１２を押すと、３ＤＴＶ１は、２Ｄ表示時の仮想サラウンドの場合よりも、さらに奥行きのある仮想サラウンドで音声を出力する。これにより、ユーザは、リモコン２の所定のボタンを押すだけで、奥行きのある３Ｄ映像に対応する、奥行きのある音声を出力できるので、ユーザの使い勝手が良好となる。
【００５１】
次に、本実施形態における上記特有の機能の詳細について説明する。上記特有の機能は、３ＤＴＶ１のＣＰＵ１１８によって実現される。図７は、本実施形態の３ＤＴＶ１のＣＰＵ１１８が有する機能を表現した機能ブロック図である。図７に示すように、ＣＰＵ１１８は、ユーザ指示取得部（指示取得手段）３００、装置情報取得部（装置情報取得手段）３０１、デバイス指示部（外部指示手段）３０２、および画像作成指示部（画像作成手段）３０３を備える構成である。また、ＲＯＭ１１６、ＲＡＭ１１７などの記憶装置は、装置情報記憶部３０４を含んでいる。
【００５２】
装置情報記憶部３０４は、３ＤＴＶ１における機能情報、状態情報、設定情報など、各種の装置情報を記憶するものである。さらに、装置情報記憶部３０４は、ＨＤＭＩレシーバ１００を介して接続された外部装置（図示せず）における機能情報、状態情報、設定情報など、各種の装置情報を記憶する。
【００５３】
なお、機種情報、装置ＩＤなど、３ＤＴＶ１の固有の情報は、ＲＯＭに記憶することが望ましい。また、３ＤＴＶ１の設定情報など、３ＤＴＶ１の電源をオフにしても保持することが望ましい情報は、フラッシュメモリに記憶することが望ましい。また、３ＤＴＶ１の状態情報、外部装置の装置情報など、３ＤＴＶ１の電源をオフにすると消去しても良い情報は、ＲＡＭ１１７に記憶すればよい。
【００５４】
ユーザ指示取得部３００は、ユーザの操作によりリモコン２が作成したユーザ指示情報を、リモコン２から赤外線受光部１１９を介して取得するものである。ユーザ指示取得部３００は、取得したユーザ指示情報を装置情報取得部３０１に送出する。
【００５５】
装置情報取得部３０１は、ユーザ指示取得部３００からのユーザ指示情報に基づいて、３ＤＴＶ１および上記外部装置の装置情報を装置情報記憶部３０４から取得するものである。装置情報取得部３０１は、取得した装置情報をデバイス指示部３０２および画像作成指示部３０３に送出する。なお、装置情報取得部３０１は、上記外部装置の装置情報を、上記外部装置からＨＤＭＩレシーバ１００を介して取得してもよい。
【００５６】
デバイス指示部３０２は、装置情報取得部３０１からの装置情報に基づいて、各種デバイスに指示を行うものである。該デバイスの例としては、ＬＣＤコントローラ１０９においてＬＣＤ１１０のバックライト（ＢＬ）を制御するＢＬ制御部１０９ａ、音声処理回路１１２、上記外部装置などが挙げられる。なお、上記外部装置への指示は、ＨＤＭＩレシーバ１００から上記外部装置にＣＥＣコマンドを送信することにより行われる。
【００５７】
画像作成指示部３０３は、装置情報取得部３０１からの装置情報に基づいて、ＯＳＤ生成部１０６に対し作成すべきＯＳＤ画像を指示するものである。
【００５８】
次に、図５に示す操作パネル２００に関する処理動作について説明する。図８は、操作パネル２００を表示する処理の流れを示すフローチャートである。この処理は、上記外部装置からの映像を表示するというユーザ指示情報を、リモコン２から赤外線受光部１１９を介してユーザ指示取得部３００が取得することにより行われる。なお、以下では、ＨＤＭＩレシーバ１００に接続された上記外部装置が、図５に示すようなディスクプレーヤであるとして説明するが、３Ｄ映像を送信可能な任意の外部装置に適用可能である。
【００５９】
図８に示すように、まず、装置情報取得部３０１は、ＨＤＭＩレシーバ１００に接続されたディスクプレーヤの装置情報を、装置情報記憶部３０４から取得し、或いは、上記ディスクプレーヤからＨＤＭＩレシーバ１００を介して取得する（Ｓ１００）。次に、装置情報取得部３０１は、取得した装置情報から、上記ディスクプレーヤによる３Ｄ映像の送信（出力）が可能か否かを判断する（Ｓ１０１）。
【００６０】
３Ｄ映像の送信が可能である場合、画像作成指示部３０３は、「３Ｄ」ボタン２０１を含む操作パネル２００の画像を作成するように、ＯＳＤ生成部１０６に指示する（Ｓ１０２）。これにより、「３Ｄ」ボタン２０１を含む操作パネル２００の画像がＬＣＤ１１０に表示され、その後、上記処理を終了する。
【００６１】
一方、３Ｄ映像の送信が不能である場合、画像作成指示部３０３は、「３Ｄ」ボタン２０１を含まない操作パネル２００の画像を作成するように、ＯＳＤ生成部１０６に指示する（Ｓ１０２）。これにより、「３Ｄ」ボタン２０１を含まない操作パネル２００の画像がＬＣＤ１１０に表示され、その後、上記処理を終了する。従って、表示される操作パネル２００に「３Ｄ」ボタン２０１を含まないので、ユーザは、上記ディスクプレーヤによる３Ｄ映像の送信が不能であることが容易に認識でき、ユーザの使い勝手がさらに良好と
なる。
【００６２】
なお、上記ディスクプレーヤによる３Ｄ映像の送信が不能である場合としては、上記ディスクプレーヤが３Ｄ映像を送信する機能を有していない場合も考えられる。或いは、上記ディスクプレーヤが当該機能を有しているが、ディスクが入っていない、ディスクに３Ｄ映像が記録されていないなど、送信すべき３Ｄ映像をディスクプレーヤが有していない場合が考えられる。
【００６３】
図１は、上記ディスクプレーヤが送信する映像を、２Ｄ映像と３Ｄ映像との間で切り替える処理の流れを示すフローチャートである。この処理は、操作パネル２００における「３Ｄ」ボタン２０１を、ユーザがリモコン２を操作して選択することにより行われる。
【００６４】
図１に示すように、まず、装置情報取得部３０１は、上記ディスクプレーヤの出力状態を取得し（Ｓ１１０）、上記ディスクプレーヤが３Ｄ映像を送信しているか否かを判断する（Ｓ１１１）。なお、上記ディスクプレーヤからの映像が３Ｄ映像であるか否かは、出力用映像信号生成部１２２の処理判別部１３１にて検知できる。
【００６５】
３Ｄ映像を送信している場合、デバイス指示部３０２は、２Ｄ映像を送信するように、ＨＤＭＩレシーバ１００を介して上記ディスクプレーヤに指示する（Ｓ１１２）。一方、３Ｄ映像を送信していない場合、すなわち、２Ｄ映像を送信しているか、或いは映像自体を送信していない場合、デバイス指示部３０２は、３Ｄ映像を送信するように、ＨＤＭＩレシーバ１００を介して上記ディスクプレーヤに指示する（Ｓ１１３）。
【００６６】
次に、画像作成指示部３０３は、操作パネル２００の画像を更新するように、ＯＳＤ生成部１０６に指示する（Ｓ１１４）。具体的には、３Ｄ映像を送信している場合には、「３Ｄ」ボタン２０１をオン状態の画像に変更し、２Ｄ映像を送信している場合には、「３Ｄ」ボタン２０１をオフ状態の画像に変更するように、ＯＳＤ生成部１０６に指示する。
【００６７】
従って、ユーザは、操作パネル２００における「３Ｄ」ボタン２０１を選択するだけで、上記ディスクプレーヤに３Ｄ映像を送信させて、３ＤＴＶ１に表示させることができ、ユーザの使い勝手が良好となる。
【００６８】
次に、図６に示す「明るさアップ」ボタン２１１に関する処理動作について説明する。図９は、「明るさアップ」ボタン２１１が押された場合に行われる処理の流れを示すフローチャートである。この処理は、「明るさアップ」ボタン２１１が押されたことを示すユーザ指示情報を、リモコン２から赤外線受光部１１９を介してユーザ指示取得部３００が取得することにより行われる。
【００６９】
図９に示すように、まず、装置情報取得部３０１は、３ＤＴＶ１の表示状態を取得し（Ｓ１２０）、３Ｄ映像を表示している否かを判断する（Ｓ１２１）。３Ｄ映像を表示していない場合、すなわち、２Ｄ映像を表示しているか、或いは表示自体を行っていない場合、画像作成指示部３０３は、エラーメッセージを作成するように、ＯＳＤ生成部１０６に指示する（Ｓ１２２）。これにより、例えば「３Ｄ視聴時のみ使用できます」といったエラーメッセージが表示され、その後、上記処理を終了する。従って、２Ｄ表示時に、バックライトの輝度を上昇することにより、表示される映像が眩し過ぎるといった問題点を回避することができる。
【００７０】
一方、３Ｄ映像を表示している場合、装置情報取得部３０１は、輝度の設定値を装置情報記憶部３０４から取得し（Ｓ１２３）、デバイス指示部３０２は、取得された設定値にバックライトの輝度を上昇するように、ＬＣＤコントローラ１０９のＢＬ制御部１０９ａ
に指示する（Ｓ１２４）。なお、バックライトの輝度を上昇するには、バックライトの点灯時間を長くすることによって実現できる。
【００７１】
次に、画像作成指示部２０３は、取得された設定値に対応するメッセージを作成するように、ＯＳＤ生成部１０６に指示する（Ｓ１２５）。図１０の（ａ）は、上記メッセージの表示例を示している。なお、上記輝度の設定値は１つでもよいが、複数であることが好ましい。本実施例では、上記輝度の設定値として、予め定められた３つの設定値と、ユーザが選択した設定値との４つの設定値が装置情報記憶部３０４に記憶されている。図１０の（ｂ）は、これら４つの設定値に対応するメッセージの一例を示している。
【００７２】
次に、ユーザ指示取得部３００は、所定期間内に「明るさアップ」ボタン２１１が再度押されたことを示すユーザ指示情報を、リモコン２から赤外線受光部１１９を介して取得するまで待機する（Ｓ１２６・Ｓ１２７）。このユーザ指示情報を所定期間内に取得した場合、装置情報取得部３０１は、別の上記設定値を装置情報記憶部３０４から取得する（Ｓ１２８）。その後、ステップＳ１２４に戻って上記動作を繰り返す。
【００７３】
一方、ユーザ指示情報を取得することなく所定期間が経過した場合には、上記処理を終了する。このとき、上記設定値に対応するメッセージの表示を停止するように、画像作成指示部２０３がＯＳＤ生成部１０６に指示することが望ましい。
【００７４】
従って、ユーザは、リモコン２の「明るさアップ」ボタン２１１を押すだけで、３Ｄ用メガネ３を介して視認する映像が暗くなることを抑制できるので、ユーザの使い勝手が良好となる。また、「明るさアップ」ボタン２１１を押すだけで、別の明るさに変更できるので、ユーザの使い勝手が良好となる。
【００７５】
次に、図６に示す「サラウンド」ボタン２１２に関する処理動作について説明する。図１１は、「サラウンド」ボタン２１２が押された場合に行われる処理の流れを示すフローチャートである。この処理は、「サラウンド」ボタン２１２が押されたことを示すユーザ指示情報を、リモコン２から赤外線受光部１１９を介してユーザ指示取得部３００が取得することにより行われる。
【００７６】
図１１に示すように、まず、装置情報取得部３０１は、３ＤＴＶ１の表示状態を取得し（Ｓ１３０）、３Ｄ映像を表示している否かを判断する（Ｓ１３１）。３Ｄ映像を表示していない場合、すなわち、２Ｄ映像を表示しているか、或いは表示自体を行っていない場合、画像作成指示部３０３は、エラーメッセージを作成するように、ＯＳＤ生成部１０６に指示する（Ｓ１３２）。これにより、例えば「３Ｄ視聴時のみ使用できます」といったエラーメッセージが表示され、その後、上記処理を終了する。従って、奥行きのない２Ｄ表示時に、奥行きのある３Ｄ表示用の仮想サラウンドの音声を出力することにより、ユーザに違和感を与えるといった問題点を回避することができる。
【００７７】
一方、３Ｄ映像を表示している場合、装置情報取得部３０１は、仮想サラウンドの設定値を装置情報記憶部３０４から取得し（Ｓ１３３）、デバイス指示部３０２は、取得された設定値で仮想サラウンド処理を実行するように、音声処理回路１１２に指示する（Ｓ１３４）。なお、仮想サラウンドの設定値は、上記奥行きの度合を示すものである。
【００７８】
次に、画像作成指示部２０３は、取得された設定値に対応するメッセージを作成するように、ＯＳＤ生成部１０６に指示する（Ｓ１３５）。図１２の（ａ）は、上記メッセージの表示例を示している。なお、上記設定値は１つでもよいが、複数であることが好ましい。本実施例では、上記設定値として、予め定められた３つの設定値と、設定値がゼロ、すなわち、仮想サラウンド処理を実行しないものとの４つの設定値が装置情報記憶部３０４
に記憶されている。図１２の（ｂ）は、これら４つの設定値に対応するメッセージの一例を示している。
【００７９】
次に、ユーザ指示取得部３００は、所定期間内に「サラウンド」ボタン２１２が再度押されたことを示すユーザ指示情報を、リモコン２から赤外線受光部１１９を介して取得するまで待機する（Ｓ１３６・Ｓ１３７）。このユーザ指示情報を所定期間内に取得した場合、装置情報取得部３０１は、別の上記設定値を装置情報記憶部３０４から取得する（Ｓ１３８）。その後、ステップＳ１３４に戻って上記動作を繰り返す。
【００８０】
一方、ユーザ指示情報を取得することなく所定期間が経過した場合には、上記処理を終了する。このとき、上記設定値に対応するメッセージの表示を停止するように、画像作成指示部２０３がＯＳＤ生成部１０６に指示することが望ましい。
【００８１】
従って、ユーザは、リモコン２の「サラウンド」ボタン２１２を押すだけで、奥行きのある３Ｄ映像に対応する、奥行きのある仮想サラウンド音声を出力できるので、ユーザの使い勝手が良好となる。また、「サラウンド」ボタン２１２を押すだけで、別の奥行きの仮想サラウンド音声に変更できるので、ユーザの使い勝手が良好となる。
【００８２】
なお、本実施形態では、上記仮想サラウンドの設定値は、音声調整の設定メニューでも行うことができる。図１３は、３ＤＴＶ１に表示される音声調整の設定メニューの一例を示している。
【００８３】
図１３に示すように、本実施形態における音声調整の設定メニュー２２０では、２Ｄ表示の仮想サラウンド（以下、２Ｄサラウンドと称する）と３Ｄ表示の仮想サラウンド（以下、３Ｄサラウンドと称する）とが別々の設定項目２２１・２２２となっている。これらの設定項目２２１・２２２は、何れか一方が利用可能である。具体的には、３Ｄサラウンドが選択されている場合には、２Ｄサラウンドの設定項目２２１の設定が禁止され、３Ｄサラウンドが選択されていない場合には、３Ｄサラウンドの設定項目２２２の設定が禁止される。なお、３Ｄサラウンドの設定項目２２２における設定例としては、図１２の（ｂ）に示すように、「スタンダード」・「ムービーシアター」・「コンサートホール」・「切」などが挙げられる。また、３Ｄサラウンドの設定値を、他の音声調整の設定値や、音声以外の設定値と連動させてもよい。
【００８４】
図１４は、上記音声調整の処理の流れを示すフローチャートである。図１４に示すように、まず、装置情報取得部３０１は、３ＤＴＶ１の表示状態を取得し（Ｓ１４０）、３Ｄ映像を表示している否かを判断する（Ｓ１４１）。３Ｄ映像を表示している場合、装置情報取得部３０１は、２Ｄサラウンドの設定を禁止し、その旨の表示を行うように、画像作成指示部３０３はＯＳＤ生成部１０６に指示する（Ｓ１４２）。これにより、例えば図１３に示すように、２Ｄサラウンドの設定項目２２１がトーンダウンして、禁止マークが付される。
【００８５】
一方、３Ｄ映像を表示していない場合、すなわち、２Ｄ映像を表示しているか、或いは表示自体を行っていない場合、装置情報取得部３０１は、３Ｄサラウンドの設定を禁止し、その旨の表示を行うように、画像作成指示部３０３はＯＳＤ生成部１０６に指示する（Ｓ１４３）。これにより、例えば３Ｄサラウンドの設定項目２２２がトーンダウンして、禁止マークが付される。従って、奥行きのない２Ｄ表示時に、奥行きのある３Ｄサラウンドの音声を設定して出力したり、奥行きのある３Ｄ表示時に、奥行きのない２Ｄサラウンドの音声を設定して出力したり、することにより、ユーザに違和感を与えるといった問題点を回避することができる。
【００８６】
次に、装置情報取得部３０１は、音声調整に関する各種の設定項目および設定値を装置情報記憶部３０４から取得し（Ｓ１４４）、取得された設定項目および設定値を含む設定メニューの画像を作成するようにＯＳＤ生成部１０６に指示する。これにより、図１３に示すような上記設定メニューの画像が表示される。
【００８７】
次に、ユーザ指示取得部３００は、調整終了を示すユーザ指示情報、または調整を指示するユーザ指示情報をリモコン２から赤外線受光部１１９を介して取得するまで待機する（Ｓ１４６・Ｓ１４７）。調整を指示するユーザ指示情報を取得した場合、デバイス指示部３０２は、上記ユーザ指示情報に従って、対応するデバイス（例えば音声処理回路１１２）を制御し（Ｓ１４８）、装置情報記憶部３０４の設定情報を更新する（Ｓ１４９）。その後、ステップＳ１４５に戻って上記動作を繰り返す。
【００８８】
一方、調整終了を示すユーザ指示情報を取得した場合、上記設定メニューの画像の表示を停止するように、画像作成指示部２０３がＯＳＤ生成部１０６に指示した後、上記処理を終了する。
【００８９】
最後に、３ＤＴＶ１の各ブロックは、集積回路（ＩＣチップ）上に形成された論理回路によってハードウェア的に実現してもよいし、ＣＰＵ（Central Processing Unit）を用
いてソフトウェア的に実現してもよい。
【００９０】
後者の場合、３ＤＴＶ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである３ＤＴＶ１の制御プログラムのプログラムコード（実行形式プログラム、中間コードプログラム、ソースプログラム）をコンピュータで読み取り可能に記録した記録媒体を、上記３ＤＴＶ１に供給し、そのコンピュータ（またはＣＰＵやＭＰＵ）が記録媒体に記録されているプログラムコードを読み出し実行することによっても、達成可能である。
【００９１】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００９２】
また、３ＤＴＶ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また
、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、
衛星回線、地上波デジタル網等の無線でも利用可能である。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９４】
本発明は、外部装置を操作するための操作パネルに立体映像指示ボタンが追加され、該立体映像指示ボタンをユーザが選択するだけで、外部装置に立体映像を送信させて、立体映像表示装置に表示させることができ、ユーザの使い勝手が良好となるので、立体映像が送信可能な任意の外部装置に適用でき、また、任意の立体映像表示装置に適用することができる。
【符号の説明】
【００９５】
１  ３ＤＴＶ（立体映像表示装置）
２  リモコン
３  ３Ｄ用メガネ
１００  ＨＤＭＩレシーバ（通信部）
１０２  ＢＤドライブ
１０３〜１０５  チューナ
１０６  ＯＳＤ生成部（画像作成手段）
１０７  映像セレクタ
１０８  映像処理回路
１０９  ＬＣＤコントローラ（表示部）
１０９ａ  ＢＬ制御部
１１０  ＬＣＤ（表示部）
１１１  音声セレクタ
１１２  音声処理回路
１１３  デジタルアンプ
１１４  スピーカ
１１６  ＲＯＭ
１１７  ＲＡＭ
１１８  ＣＰＵ
１１９  赤外線受光部
１２２  出力用映像信号生成部
１２３  メガネ制御部
１２４  赤外線発光部
１３１  処理判別部
１３２  ３Ｄ変換部
１３３  ３Ｄ処理部
２００  操作パネル
２０１  「３Ｄ」ボタン
２０３  画像作成指示部
２１０  「３Ｄ」ボタン
２１１  「明るさアップ」ボタン
２１２  「サラウンド」ボタン
２２０  設定メニュー
２２１  ２Ｄサラウンドの設定項目
２２２  ３Ｄサラウンドの設定項目
３００  ユーザ指示取得部（指示取得手段）
３０１  装置情報取得部（装置情報取得手段）
３０２  デバイス指示部（外部指示手段）
３０３  画像作成指示部（画像作成手段）
３０４  装置情報記憶部
【図１】
0005443272.tif 000002
【図２】
0005443272.tif 000003
【図３】
0005443272.tif 000004
【図４】
0005443272.tif 000005
【図５】
0005443272.tif 000006
【図６】
0005443272.tif 000007
【図７】
0005443272.tif 000008
【図８】
0005443272.tif 000009
【図９】
0005443272.tif 000010
【図１０】
0005443272.tif 000011
【図１１】
0005443272.tif 000012
【図１２】
0005443272.tif 000013
【図１３】
0005443272.tif 000014
【図１４】
0005443272.tif 000015